(57)【要約】【課題】簡単な構成で、外部から衝撃を着けた場合であっても天井照明カバーが天井から落下を抑制することができ、また、メンテナンス時には簡単に天井から天井照明カバーを取り外すことができる照明装置を得る。【解決手段】開口部３ａが形成された天井３に設けられ、周縁部が、天井３の上方から開口部３ａの周縁部と接触した天井照明カバー４と、天井３の上方に設けられ、天井３および天井照明カバー４とともに、空気の流路５を形成し、かご２の室内へ空気を送り込む換気装置１０から送り出された空気が流路５に流入する流入孔９ａが形成された照明ボックス６と、天井照明カバー４の上方であって流路５内に設けられた蛍光灯７とを備え、換気装置１０から送り出された空気を、流入孔９ａを通じて流路５に流入させ、流路５内の気圧をかご２の室内の気圧より高くさせる。【選択図】図３
2010192381.tif 000002
【特許請求の範囲】
【請求項１】
開口部が形成された天井に設けられ、周縁部が、前記天井の上方から前記開口部の周縁部と接触した天井照明カバーと、
前記天井の上方に設けられ、前記天井および前記天井照明カバーとともに、空気の流路を形成し、送風手段から送り出された空気が前記流路に流入する流入孔が形成された空気流路部材と、
前記流路内であって前記天井照明カバーの上方に設けられた照明体とを備え、
前記送風手段から送り出された前記空気を、前記流入孔を通じて前記流路に流入させ、前記流路内の気圧を室内の気圧より高くさせることを特徴とする照明装置。
【請求項２】
前記天井には、前記流路を通過した前記空気が前記室内へ流出する流出孔が形成され、
前記照明体は、前記流入孔と前記流出孔との間に設けられていることを特徴とする請求項１に記載の照明装置。
【請求項３】
エレベータのかごの前記天井に取り付けられることを特徴とする請求項１または請求項２に記載の照明装置。
【発明の詳細な説明】
【技術分野】
【０００１】
この発明は、天井に設けられた天井照明カバーを備えた照明装置に関する。
【背景技術】
【０００２】
従来、天井の下面に固定された取付体と、天井の下面に固定された照明体と、照明体の下方を覆った天井照明カバーと、取付体と天井照明カバーとに設けられ、天井照明カバーを取付体に着脱可能にする着脱手段とを備えたエレベータかご内照明装置が知られている（例えば、特許文献１参照）。
このものの場合、例えば、長い棒等が天井照明カバーに衝突しても、天井照明カバーは着脱手段を介して取付体に固定されているので、天井照明カバーが落下することを防止することができる。
また、作業者は、着脱手段を介して取付体から天井照明カバーを取り外すことで、照明体等のメンテナンスを行うことができる。
【先行技術文献】
【特許文献】
【０００３】
【特許文献１】特開２００７−３１４２８３号公報
【発明の開示】
【発明が解決しようとする課題】
【０００４】
しかしながら、このものの場合、着脱手段が、天井照明カバーに固定された係合部と、取付体に固定された被係合部とを有し、係合部と被係合部とが、互いに係合したり、互いの係合が解除されたりする構造となっているので、構成が複雑であり、また、照明体等のメンテナンス時には、天井照明カバーを取り外すのに時間がかかってしまうという問題点があった。
【０００５】
この発明は、上述のような問題点を解決することを課題とするものであって、その目的は、簡単な構成で、外部から衝撃を受けた場合であっても天井照明カバーが天井から落下することを抑制することができ、また、メンテナンス時には簡単に天井から天井照明カバーを取り外すことができる照明装置を提供するものである。
【課題を解決するための手段】
【０００６】
この発明に係る照明装置は、開口部が形成された天井に設けられ、周縁部が、前記天井の上方から前記開口部の周縁部と接触した天井照明カバーと、前記天井の上方に設けられ、前記天井および前記天井照明カバーとともに、空気の流路を形成し、送風手段から送り出された空気が前記流路に流入する流入孔が形成された空気流路部材と、前記流路内であって前記天井照明カバーの上方に設けられた照明体とを備え、前記送風手段から送り出された前記空気を、前記流入孔を通じて前記流路に流入させ、前記流路内の気圧を室内の気圧より高くさせる。
【発明の効果】
【０００７】
この発明に係る照明装置によれば、流路に空気を流入させ、流路内の気圧を室内の気圧より高くさせることで、天井照明カバーが天井へ押圧されて、天井に天井照明カバーが保持され、流路への空気の流入を停止させることで、天井への天井照明カバーの保持が解除されるので、簡単な構成で、外部から衝撃を受けた場合であっても天井照明カバーが天井から落下することを抑制することができ、また、メンテナンス時には簡単に天井から天井照明カバーを取り外すことができる。
【図面の簡単な説明】
【０００８】
【図１】この発明の実施の形態１に係る照明装置を下方から視た図である。
【図２】図１の照明装置が取り付けられたかごを上方から視た図である。
【図３】図２のＩＩＩ−ＩＩＩ線に沿った矢視断面図である。
【図４】図３のＡ部拡大図である。
【発明を実施するための形態】
【０００９】
実施の形態１．
図１はこの実施の形態に係る照明装置１を下方から視た図、図２は図１の照明装置１が取り付けられたかご２を上方から視た図、図３は図２のＩＩＩ−ＩＩＩ線に沿った矢視断面図、図４は図３のＡ部拡大図である。
この実施の形態に係る照明装置１が取り付けられるエレベータのかご２の天井３には、中央部に四角形状の開口部３ａが形成されている。
この照明装置１は、天井３の開口部３ａを上方から覆った天井照明カバー４と、天井３の上方に取り付けられ、天井３および天井照明カバー４とともに、空気の流路５を形成した空気流路部材である照明ボックス６と、この照明ボックス６に固定され、流路５内であって天井照明カバー４の上方に設けられた照明体である蛍光灯７とを備えている。
【００１０】
天井照明カバー４は、上方から視たときに四角形状となっており、側面から視たときに、中央部が下側に窪んだカップ形状となっている。
この天井照明カバー４の周縁部４ａは、平板形状に形成されており、天井３の開口部３ａの周縁部３ｂに上方から面接触する。
【００１１】
照明ボックス６は、蛍光灯７を支持した天蓋部材８と、天井３の上面に取り付けられ、天蓋部材８を支持した一対の支持部材９とを有している。
一方の支持部材９の上部には、かご２の室内へ空気を送り込む送風手段である換気装置１０が設置されている。
一方の支持部材９には、換気装置１０に対向した部分に、換気装置１０から送り出された空気が流路５に流入する流入孔９ａが形成されている。
また、一方の支持部材９には、天井照明カバー４より上流の流路５を塞ぐ壁が形成され、この壁には、流入孔９ａから流路５に流入した空気が通過可能な第１の貫通孔９ｂが形成されている。
他方の支持部材９には、天井照明カバー４より下流の流路５を塞ぐ壁が形成され、この壁には、第１の貫通孔９ｂを通過した空気が通過可能な第２の貫通孔９ｃが形成されている。
換気装置１０の送風量と、第１の貫通孔９ｂの直径の寸法と、第２の貫通孔９ｃの直径の寸法との関係を調節することで、天井照明カバー４付近の流路５の気圧を調節することができる。
天井３には、第２の貫通孔９ｃより下流側の流路５の空気がかご２の室内へ流出する流出孔３ｃが形成されている。
これにより、換気装置１０から送り出された空気は、流入孔９ａから流路５へ流入し、天井照明カバー４を通って、流出孔３ｃからかご２の室内へ送り込まれる。
【００１２】
次に、この実施の形態に係る照明装置１の動作について説明する。
通常運転時には、換気装置１０から流路５を通ってかご２の室内へ空気が送り込まれる。
このとき、換気装置１０から送り出された空気が流入孔９ａを通じて流路５に流入し、流路５内の気圧がかご２の室内の気圧より高くなる。
この気圧差によって、天井照明カバー４は、天井３へ押圧され、天井３に保持される。
その結果、例えば、長い棒等が下方から天井照明カバー４に衝突しても、天井照明カバー４が天井３から上方へ持ち上げられることが抑制される。
【００１３】
天井照明カバー４が天井３へ押圧されるので、天井３の開口部３ａの周縁部３ｂと天井照明カバー４の周縁部４ａとの間に発生する摩擦力が増大する。
その結果、例えば、長い棒等が横方向から天井照明カバー４に衝突しても、天井照明カバー４の水平方向への移動が抑制され、天井照明カバー４の落下が抑制される。
【００１４】
図４に示すように、流路５内の気圧が上昇することで、例えば、天蓋部材８と支持部材９との間の隙間から流路５内の空気が外側へ向かってもれ出るので、この隙間を通って、埃や虫等の流路５内への進入が抑制される。
【００１５】
蛍光灯７の交換等、照明装置１をメンテナンスする時には、換気装置１０による空気の送り出しを停止させる。
これにより、換気装置１０から流路５へ空気が送り込まれなくなるので、流路５内の気圧がかご２の室内の気圧と同じになり、気圧差がなくなり、天井照明カバー４は、天井３へ押圧されなくなる。
その結果、作業者は、簡単に天井照明カバー４を天井３から取り外すことができる。
【００１６】
以上説明したように、この実施の形態に係る照明装置１によれば、換気装置１０から送り出された空気を流路５に流入させ、流路５内の気圧をかご２の室内の気圧より高くさせることで、天井照明カバー４が天井３へ押圧されて、天井３に天井照明カバー４が保持されるので、簡単な構成で、外部から衝撃を受けた場合であっても天井照明カバー４が天井３から落下することを抑制することができる。
また、流路５への空気の流入を停止させることで、天井３への天井照明カバー４の保持が解除されるので、メンテナンス時には簡単に天井３から天井照明カバー４を取り外すことができる。
また、流路５内の気圧が上昇することで、例えば、天蓋部材８と支持部材９との間の隙間から流路５内の空気が外側へ向かってもれ出るので、換気装置１０が駆動中は、常に、埃や虫等がこの隙間を通って流路５内に進入することを抑制することができる。
その結果、清掃作業の負荷を低減させることができる。
【００１７】
また、蛍光灯７は、流路孔９ａと流出孔３ｃとの間の流路５内に設けられているので、換気装置１０が駆動中は、流路５を流れる空気が蛍光灯７を冷却して、蛍光灯７の温度上昇が抑制される。
その結果、蛍光灯７の長寿命化を図ることができ、蛍光灯７を交換する作業負荷を低減させることができる。
【００１８】
また、この照明装置１は、エレベータのかご２の天井３に取り付けられるので、エレベータの乗客によって天井照明カバー４が衝撃を受けた場合であっても、天井照明カバー４がかご２の天井３から落下することを抑制することができ、また、エレベータのかご２の天井３または照明装置１をメンテナンスするときには、簡単に天井照明カバー４をかご２の天井３から取り外すことができる。
【００１９】
なお、この実施の形態では、エレベータのかご２に取り付けられた照明装置１について説明したが、勿論このものに限らず、その他の部材に取り付けられた照明装置１であってもよい。
【００２０】
また、送風手段として、かご２の室内へ空気を送り込んで、かご２の室内を換気する換気装置１０を例に説明したが、勿論このものに限らず、例えば、空気の洗浄度、温度、湿度、圧力などを調節した後に、かご２の室内へ空気を送り込む空気調和機であってもよい。
【００２１】
また、この実施の形態では、換気装置１０から送り出された空気が、天井３、天井照明カバー４および照明ボックス６から構成された流路５を通って、かご２の室内へ送り込まれる照明装置１について説明したが、換気装置１０から送り出された空気の一部を流路５へ送り込み、残りの空気が直接的にかご２の室内へ送り込まれる照明装置１であってもよい。
さらには、天井３には、流路５を通ってかご２の室内へ送り込まれる流出孔３ｃを形成しなくてもよい。
この場合、流路５内の空気はほとんど移動しないので、流路５を通過する空気による蛍光灯７の冷却効果が低減するものの、換気装置１０から送り出された空気のほとんどをかご２の室内へ直接的に送り込むことができる。換気装置１０の換わりに空気調和機を用いた場合に、流路５を通過する空気と、天井３、天井照明カバー４および照明ボックス６との熱の交換が低減されるので、かご２の室内を効果的に温度調節することができる。
また、この実施の形態では、送風手段として、かご２の室内へ空気を送り込む換気装置１０を例に説明したが、勿論このものに限らず、例えば、流路５へ空気を送り込む専用の扇風機等、その他の送風手段であってもよい。
【００２２】
また、この実施の形態では、照明体として、蛍光灯７を例に説明したが、勿論このものに限らず、例えば、電球、ＬＥＤ等、発光するものであればよい。
【符号の説明】
【００２３】
１  照明装置、２  かご、３  天井、３ａ  開口部、３ｂ  周縁部、３ｃ  流出孔、４  天井照明カバー、４ａ  周縁部、５  流路、６  照明ボックス（空気流路部材）、７  蛍光灯（照明体）、８  天蓋部材、９  支持部材、９ａ  流入孔、９ｂ  第１の貫通孔、９ｃ  第２の貫通孔、１０  換気装置（送風手段）。
【図１】
2010192381.tif 000003
【図２】
2010192381.tif 000004
【図３】
2010192381.tif 000005
【図４】
2010192381.tif 000006